(57)【特許請求の範囲】
【請求項１】
墨壷本体に糸巻ドラムを収納するドラム収納部及び墨汁含浸材を収納する墨付部が設けられ、糸巻ドラムにカルコを先端に連結した墨糸が巻回され、この墨糸を外部に引き出し乍ら墨付部を通過させることにより墨糸に墨汁を付着せしめて墨付けを行う墨壷であって、墨付部には、開閉蓋が設けられ、この開閉蓋には嵌入部が設けられ、この嵌入部には柔軟体が密着状態で嵌入されており、この柔軟体には凹部が設けられ、この凹部内には指先で押動したときに墨糸と墨汁含浸材とを圧接させる押動体が設けられ、この押動体は上部が開閉蓋の上壁より低く位置するように構成され、また、柔軟体は該柔軟体に設けた係止孔を押動体に被嵌することで当該押動体の周囲に設けられており、この係止孔は押動体に設けた径小凹状部に密着状態で係止されており、前記押動体を指圧して押動体に連動する下圧板により墨汁含浸材を下圧しても開閉蓋の上壁に墨汁流出間隙が生じないように構成されていることを特徴とする墨壷。
【請求項２】
墨壷本体に糸巻ドラムを収納するドラム収納部及び墨汁含浸材を収納する墨付部が設けられ、糸巻ドラムにカルコを先端に連結した墨糸が巻回され、この墨糸を外部に引き出し乍ら墨付部を通過させることにより墨糸に墨汁を付着せしめて墨付けを行うハンドタイプの墨壷であって、墨付部には、開閉蓋が設けられ、この開閉蓋には嵌入部が設けられ、この嵌入部には柔軟体が密着状態で嵌入されており、この柔軟体には凹部が設けられ、この凹部内には指先で押動したときに墨糸と墨汁含浸材とを圧接させる押動体が設けられ、この押動体は上部が開閉蓋の上壁より低く位置するように構成され、また、柔軟体は該柔軟体に設けた係止孔を押動体に被嵌することで当該押動体の周囲に設けられており、この係止孔は押動体に設けた径小凹状部に密着状態で係止されており、前記押動体を指圧して押動体に連動する下圧板により墨汁含浸材を下圧しても開閉蓋の上壁に墨汁流出間隙が生じないように構成されていることを特徴とする墨壷。
【請求項３】
請求項１，２いずれか１項に記載の墨壷において、墨壷本体は押動体を下側にして載置面に載置した際、ドラム収納部及び墨付部双方が載置面に当接する形状であることを特徴とする墨壷。
【発明の詳細な説明】
【０００１】
【発明の属する技術分野】
本発明は、大工や石工などが木材や壁や床や石材などに墨線を引くために使用する載置したときに墨が漏れない墨壷に係るものである。
【０００２】
【従来の技術及び発明が解決しようとする課題】
ハンドタイプの墨壷には、墨糸に付く墨が薄くなってきたときに、押動部分を手で押して墨糸と墨綿とを押し付け当接させて墨糸に墨を濃く付設させるタイプのものがある。
【０００３】
そして、従来の上記のようなタイプの墨壷は、押動部分が墨壷本体から突出しており、押動部分を下側となるようにして墨壷本体を載置してしまったときに押動部分が押されて押動部分とその周囲との隙間から墨が漏れ出てしまう恐れがあるため、墨壷本体に突出部を設けて押動部分が押されないようにしている。
【０００４】
しかし、墨壷本体に押動部分や突出部などの突出している部分があると、墨壷を握持するときに突出している部分が邪魔になるという問題点がある。
【０００５】
しかも、押動部分を下側となるようにして墨壷本体を載置してしまった際、墨綿に墨が十分に充填されていると墨綿から墨がにじみでて、押動部分とその周囲との隙間から墨が漏れ出てしまうという欠点もある。
【０００６】
本発明は、押動部分を墨壷本体から突出しないように構成して墨壷を握持し易くし、しかも押動部分とその周囲との隙間から墨が漏れ出てしまうことを防止する実用性に秀れた墨壷を提供することを目的としている。
【０００７】
【課題を解決するための手段】
添付図面を参照して本発明の要旨を説明する。
【０００８】
墨壷本体１に糸巻ドラム３を収納するドラム収納部２及び墨汁含浸材７を収納する墨付部５が設けられ、糸巻ドラム３にカルコ６を先端に連結した墨糸４が巻回され、この墨糸４を外部に引き出し乍ら墨付部５を通過させることにより墨糸４に墨汁を付着せしめて墨付けを行う墨壷であって、墨付部５には、開閉蓋22が設けられ、この開閉蓋22には嵌入部19が設けられ、この嵌入部19には柔軟体10が密着状態で嵌入されており、この柔軟体10には凹部９が設けられ、この凹部９内には指先で押動したときに墨糸４と墨汁含浸材７とを圧接させる押動体８が設けられ、この押動体８は上部が開閉蓋22の上壁27より低く位置するように構成され、また、柔軟体10は該柔軟体10に設けた係止孔16を押動体８に被嵌することで当該押動体８の周囲に設けられており、この係止孔16は押動体８に設けた径小凹状部15に密着状態で係止されており、前記押動体８を指圧して押動体８に連動する下圧板14により墨汁含浸材７を下圧しても開閉蓋22の上壁27に墨汁流出間隙が生じないように構成されていることを特徴とする墨壷に係るものである。
【０００９】
また、墨壷本体１に糸巻ドラム３を収納するドラム収納部２及び墨汁含浸材７を収納する墨付部５が設けられ、糸巻ドラム３にカルコ６を先端に連結した墨糸４が巻回され、この墨糸４を外部に引き出し乍ら墨付部５を通過させることにより墨糸４に墨汁を付着せしめて墨付けを行うハンドタイプの墨壷であって、墨付部５には、開閉蓋22が設けられ、この開閉蓋22には嵌入部19が設けられ、この嵌入部19には柔軟体10が密着状態で嵌入されており、この柔軟体10には凹部９が設けられ、この凹部９内には指先で押動したときに墨糸４と墨汁含浸材７とを圧接させる押動体８が設けられ、この押動体８は上部が開閉蓋22の上壁27より低く位置するように構成され、また、柔軟体10は該柔軟体10に設けた係止孔16を押動体８に被嵌することで当該押動体８の周囲に設けられており、この係止孔16は押動体８に設けた径小凹状部15に密着状態で係止されており、前記押動体８を指圧して押動体８に連動する下圧板14により墨汁含浸材７を下圧しても開閉蓋22の上壁27に墨汁流出間隙が生じないように構成されていることを特徴とする墨壷に係るものである。
【００１０】
また、請求項１，２いずれか１項に記載の墨壷において、墨壷本体１は押動体８を下側にして載置面に載置した際、ドラム収納部２及び墨付部５双方が載置面に当接する形状であることを特徴とする墨壷に係るものである。
【００１１】
【発明の実施の形態】
好適な本発明の実施の形態（発明をどのように実施するか）を、図面に基づいてその作用効果を示して説明する。
【００１２】
押動体８の上部が凹部９を設けた墨付部５の上壁27より低く位置するように構成したことより、押動体８が下側となるようにして墨壷本体１を載置しても押動体８が押されず、押動体８とその周囲との隙間から墨汁が漏れ出ないこととなり、しかも墨壷本体１から突出している部分がないから墨壷の握り易さを損なうことがないこととなる。
【００１３】
【実施例】
図面は本発明の一実施例を図示したもので、以下に説明する。
【００１４】
本実施例は、墨壷本体１に糸巻ドラム３を収納するドラム収納部２及び墨汁含浸材７を収納する墨付部５を設け、糸巻ドラム３にカルコ６を先端に連結した墨糸４を巻回し、この墨糸４を墨付部５を通過させることにより墨糸４に墨汁を付着せしめて外部に引き出すハンドタイプの墨壷であって、手で押動したときに墨糸４と墨汁含浸材７とを押し付け当接させる押しボタン形状の押動体８を墨付部５の上壁27に該上壁27を貫通するように設け、押動体８と上壁27との間隙を隠蔽し且つ押動体８の押動に伴って撓む柔軟体10を墨付部５の上壁27に嵌着状態に設け、墨付部５の上壁27に設けた柔軟体10に凹部９を設け、この凹部９内に押動体８を配設し、この押動体８の上部が墨付部５の上壁27の若しくは柔軟体10に設けた凹部９の周壁より低く位置するように構成した墨壷に係るものである。
【００１５】
本実施例に示す墨壷は、弦巻ゼンマイを使用した自動巻取式の墨壷である。
【００１６】
墨汁含浸材７はつぼ綿又はスポンジを使用しており、２枚の墨汁含浸材７で墨糸４を挟み該墨糸４に墨汁を付設している。
【００１７】
また、墨付部５の上部周縁に墨汁含浸材７の脱出を阻止する周鍔25を繞設し、この周鍔25の内側に開口している開口窓11を隠蔽する開閉蓋22の一側を墨壷本体１に軸着して他方側を起伏自在に設け、この開閉蓋22の内側周囲と墨付部５の周鍔25との間に介存せしめるパッキング12を開閉蓋22の裏面に突設したパッキン受鍔24の外周に圧着状態に被嵌し、周鍔25の内側にパッキン受鍔24が嵌入し、パッキング12に適正な押圧力を付与する開閉係止機構26を墨壷本体１と開閉蓋22とに設けている。
【００１８】
この開口窓11は、劣化した墨汁含浸材７を交換できるように墨充填材７を出し入れできる大きさに設定してある。
【００１９】
また、パッキング12はゴムなどの弾性体で構成されており、開閉蓋22を閉じたときに周鍔25に押圧され、開口窓11と開閉蓋22との間隙を隙間なく埋める。
【００２０】
また、押動体８の下方に、押動体８を指圧することにより下方に移動して墨汁含浸材７を下圧し墨糸４に墨汁を付着せしめる下圧板14を付設しており、押動体８と下圧板14との境界付近に径小凹条部15を設けている。
【００２１】
また、柔軟体10はゴムなどの弾性体で構成され、柔軟体10には前記径小凹条部15より若干小さめに構成された係止孔16が設けられており、係止孔16を前記押動体８より押し込み被嵌して前記径小凹条部15に係止孔16を係止させている。従って、径小凹条部15に係止孔16が圧接状態に密着している。
【００２２】
また、柔軟体10は肉厚に構成され、柔軟体10に前記凹部９が設けられており、開閉蓋22には柔軟体10を嵌入できる嵌入部19が設けられており、嵌入部19に柔軟体10を嵌入したときに、柔軟体10が嵌入部19の上端、即ち開閉蓋22の上面より突出しないように構成されている。
【００２３】
また、嵌入部19には柔軟体10を固定する固定孔17が設けられており、固定孔17に押し込み固定される固定孔17よりやや大きめに構成された突出部18を柔軟体10に設け、開口窓11の上部より突出部18を固定孔17に押し込んで開口窓11に柔軟体10を固定している。尚、柔軟体10と嵌入部19とが互いに密接するように構成している。
【００２４】
また、本実施例において開閉係止機構26は、開閉蓋22に係止凸条部28を設け、墨壷本体１に前記係合凸条部28が乗り越える乗越部29を設け、開閉蓋22を閉じるときに係止凸条部28が乗越部29表面を滑るように乗り越えてそのまま係止するように構成している。
【００２５】
従って、本実施例は上述のように構成したから、押動体８が凹部９の周壁、即ち開閉蓋22の上面より突出していないため、押動体８が下側となるようにして墨壷本体１を載置したときに押動体８が押されることがなく、墨壷本体１も握持し易く、しかも押動体８と柔軟体10、柔軟体10と開閉蓋22の嵌入部19とが密着或いは密接しており、開閉蓋22を閉じているときには開閉蓋22と開口窓11もパッキング12により密接しているため、墨壷本体１から墨汁が漏れ出ることが確実に防止される実用性に秀れた墨壷となる。
【００２６】
また、押動体８が下側となるようにして墨壷本体１を載置した際に、墨汁含侵材７から墨汁がにじみ出てもにじみ出た墨汁は柔軟体10に遮られ、墨汁が押動体８と墨付部５の上壁27との間隙から外部に流出してしまうことを確実に防止できる。
【００２７】
また、墨汁含侵材７に墨汁を充填しすぎたときなどでも墨汁含侵材７から漏れた墨汁は柔軟体10に遮られることとなり、しかも押動体８が突出しておらず他にも突出点がないから、墨壷本体１から墨汁が漏れ出ず且つ墨壷本体１を握持し易い墨壷となる。
【００２８】
また、押動体８の周囲を柔軟体10で囲繞し、下圧板14により墨汁含浸材７を下圧しても墨付部５の上壁に墨汁流出間隙が生じないように構成したから、押動体８付近から墨汁が漏れ出ないこととなる。
【００２９】
また、墨充填材７に墨入れを行うための開口窓11に蓋をする開閉蓋22にパッキング12を設けて開口窓11より墨汁が漏れ出ないようにしたから、開口窓11からも墨汁が漏れ出ないこととなる。
【００３０】
また、柔軟体10は弾性体で構成され、押動体８の押動に伴って撓むから、押動体８と柔軟体10、柔軟体10と開閉蓋22の嵌入部19とが密着或いは密接したまま押動体８を押動移動させることができ、しかも柔軟体10の弾性作用によって押動体８を押動したあとに手を離すと押動体８が元の位置に戻されることになる。
【００３１】
尚、本実施例では、柔軟体10と開閉蓋22との密接状態をより一層良好にし、墨汁の漏れを防止するため、柔軟体10に円周状の凹環条部20を設け、嵌入部19に前記凹環条部20に密接被嵌される突環部21を設けている。
【００３２】
また、柔軟体10を開閉蓋22の下部より付設し、柔軟体10を押動体８下方より被嵌隠蔽するように構成して、押動体８を押動移動させたときに押動体８下方の柔軟体10によって墨汁含侵材７を押し付けるように構成しても本発明の効果は発揮される。
【００３３】
【発明の効果】
本発明は上述のように、押動体の上部が凹部を設けた墨付部の上壁より低く位置するように構成したから、押動体が下側となるようにして墨壷本体を載置しても押動体が押されず、押動体とその周囲との隙間から墨汁が漏れ出ないこととなり、しかも墨壷本体から突出している部分がないから墨壷の握り易さを損なうことがなく握持し易い実用性に秀れた墨壷となる。
【図面の簡単な説明】
【図１】本実施例の説明斜視図である。
【図２】本実施例の開閉蓋22を開けたときの説明斜視図である。
【図３】本実施例の要部の説明断面図である。
【図４】本実施例の押動体８を指圧したときの要部の説明断面図である。
【符号の説明】
１  墨壷本体
２  ドラム収納部
３  糸巻ドラム
４  墨糸
５  墨付部
６  カルコ
７  墨汁含侵材
８  押動体
９  凹部
10  柔軟体
14  下圧板
16  係止孔
19 嵌入部
22  開閉蓋
25  周鍔
27  上壁
【図１】
0003568812.tif 000002
【図２】
0003568812.tif 000003
【図３】
0003568812.tif 000004
【図４】
0003568812.tif 000005